(57)【要約】【課題】本発明は、オーディオ信号の背景に不必要な雑音成分が含まれていた場合であっても、正確に曲間情報（曲番）を自動付加することが可能なディジタル録音再生装置を提供することを目的とする。【解決手段】本発明に係るＭＤ録音再生装置１ａは、周波数成分毎に音声信号のレベル情報Ａを抽出するＳＧデータ検出部２３と、レベル情報Ａに帯域制御情報Ｗに基づいた帯域制御処理を施してレベル情報Ａ’を得る帯域制御部２４と、レベル情報Ａ’と判定レベルＬを比べて判定条件Ｘとの合致判定を行うレベル判定部２５と、条件合致信号Ｂの出力時間ｔを監視する時間判定部２６と、を有して成り、出力時間ｔが所定時間Ｔを超えた時点における音声信号のアドレス情報をその曲間情報としてＭＤ１２に記録する構成としている。【選択図】      図１
2004342214.tif 000002
【特許請求の範囲】
【請求項１】
ディジタル記録媒体にオーディオ信号の読み書きを行うディジタル録音再生装置であって、前記オーディオ信号のレベル情報を周波数成分毎に抽出するレベル情報検出部と、該レベル情報検出部で周波数成分毎に分解されたレベル情報について指定された周波数帯域以外を抽出する帯域制御部と、該帯域制御部で得られたレベル情報と所定の判定レベルを比較して所定の判定条件に合致しているか否かを判定するレベル判定部と、該レベル判定部での条件合致時間を監視する時間判定部と、を有して成り、前記条件合致時間が所定時間を超えた時点における前記オーディオ信号のアドレス情報をその曲間情報として前記ディジタル記録媒体に記録することを特徴とするディジタル録音再生装置。
【請求項２】
ディジタル記録媒体にオーディオ信号の読み書きを行うディジタル録音再生装置であって、前記オーディオ信号のレベル情報を周波数成分毎に抽出するレベル情報検出部と、該レベル情報検出部で周波数成分毎に分解されたレベル情報について指定された周波数帯域のみを抽出する帯域制御部と、該帯域制御部で得られたレベル情報と所定の判定レベルを比較して所定の判定条件に合致しているか否かを判定するレベル判定部と、該レベル判定部での条件合致時間を監視する時間判定部と、を有して成り、前記条件合致時間が所定時間を超えた時点における前記オーディオ信号のアドレス情報をその曲間情報として前記ディジタル記録媒体に記録することを特徴とするディジタル録音再生装置。
【請求項３】
ディジタル記録媒体にオーディオ信号の読み書きを行うディジタル録音再生装置であって、前記オーディオ信号のレベル情報を周波数成分毎に抽出するレベル情報検出部と、該レベル情報検出部で周波数成分毎に分解されたレベル情報について周波数成分毎の重み付けを行う帯域制御部と、該帯域制御部で得られたレベル情報と所定の判定レベルを比較して所定の判定条件に合致しているか否かを判定するレベル判定部と、該レベル判定部での条件合致時間を監視する時間判定部と、を有して成り、前記条件合致時間が所定時間を超えた時点における前記オーディオ信号のアドレス情報をその曲間情報として前記ディジタル記録媒体に記録することを特徴とするディジタル録音再生装置。
【請求項４】
ディジタル記録媒体にオーディオ信号の読み書きを行うディジタル録音再生装置であって、前記オーディオ信号のレベル情報を周波数成分毎に抽出するレベル情報検出部と、周波数成分毎に重み付けられた判定レベルを生成する判定レベル調整部と、前記レベル情報検出部で周波数成分毎に分解されたレベル情報と前記判定レベル調整部で生成された判定レベルを比較して所定の判定条件に合致しているか否かを判定するレベル判定部と、該レベル判定部での条件合致時間を監視する時間判定部と、を有して成り、前記条件合致時間が所定時間を超えた時点における前記オーディオ信号のアドレス情報をその曲間情報として前記ディジタル記録媒体に記録することを特徴とするディジタル録音再生装置。
【発明の詳細な説明】
【０００１】
【発明の属する技術分野】
本発明は、ＭＤ（ミニディスク）などのディジタル記録媒体にオーディオ信号の読み書きを行うディジタル録音再生装置に関するものである。
【０００２】
【従来の技術】
ＭＤなどのディジタル記録媒体にオーディオ信号の読み書きを行うディジタル録音再生装置では、オーディオ信号をディジタル記録媒体に書き込む際、該オーディオ信号に併せて選曲用の曲間情報（曲番）を記録することが要求される。
【０００３】
例えば、ＣＤやＭＤ等のディジタル音源からＭＤへのディジタル録音を行う場合には、録音時における曲間情報自動転写機能（いわゆるシンクロマーク機能）によって、マスタとなるオーディオ信号に付された曲間情報（曲番）が録音先ＭＤのＵＴＯＣ［Ｕｓｅｒ  Ｔａｂｌｅ  Ｏｆ  Ｃｏｎｔｅｎｔｓ］領域にもそのまま書き写される。なお、ＵＴＯＣ領域とは、録音されたオーディオ信号に関する各種情報（曲番や文字情報など）をユーザ側で自由に書き換えることが可能な記録領域のことである。
【０００４】
一方、ＣＤやＭＤ以外のディジタル音源やアナログ音源からＭＤへのディジタル録音を行う場合には、録音時における曲間情報自動付加機能（いわゆるオートトラック機能）によって、マスタとなるオーディオ信号の無音部（例えば１秒間以上）の検出が行われ、その検出結果に基づいて自動的に曲間情報（曲番）が録音先ＭＤのＵＴＯＣ領域に記録される。
【０００５】
また、従来のディジタル録音再生装置の多くは、録音済みのオーディオ信号に対して後から曲間情報を手動付加する曲分割機能（いわゆるディバイド機能）を具備している。上記のディバイド機能によって曲間情報を付加するには、まず録音済みのオーディオ信号を再生して曲分割したい箇所を見つけ、当該箇所で再生動作を一時停止状態としてからディバイド処理を実行すればよい。また、続けて曲分割したい箇所があるなら、オーディオ信号の再生動作を再開させて上記操作を繰り返せばよい。なお、上記のディバイド処理で生成された曲間情報（曲番）は、全てのディバイド処理が完了した後に、一括してディジタル記録媒体のＵＴＯＣ領域に書き込まれる。
【０００６】
また、従来より、上記の手動操作によるディバイド機能を発展させ、録音済みのオーディオ信号を再生して無音部の検出を行い、その検出結果に基づいて自動的に曲間情報（曲番）を付加する機能（上記のオートトラック機能とディバイド機能を併せた機能であり、以下ではオートディバイド機能と呼ぶ）を具備したディスク記録再生装置も開示・提案されている（例えば、特許文献１を参照）。
【０００７】
【特許文献１】
特開平１０−２０８４５０号公報
【０００８】
【発明が解決しようとする課題】
確かに、上記のオートトラック機能やオートディバイド機能を具備したディジタル録音再生装置であれば、ＣＤやＭＤ以外のディジタル音源やアナログ音源からディジタル録音をする場合（或いはディジタル録音をした場合）であっても、ユーザの手を煩わせることなく、オーディオ信号の無音部を曲間とみなして自動的に曲間情報（曲番）を付加することが可能である。
【０００９】
しかしながら、従来のオートトラック機能やオートディバイド機能の無音検出処理では、マスタとなるオーディオ信号（或いは録音済みのオーディオ信号）の全周波数成分が一律に無音検出対象とされていたため、例えばオーディオ信号の背景に不必要な雑音成分（騒音など）が含まれていた場合には、本来無音であるべき曲間箇所が無音と判定されず、結果として曲間情報（曲番）の自動付加位置を誤ることがあった。また、会議などのマイク入力を音源とする場合には、録音者の意図と関係なく無音部が不規則に生じるため、上記したオートトラック機能やオートディバイド機能を適用したとしても、録音者の意図する箇所に曲間情報（曲番）が自動付加されるのは稀であった。
【００１０】
なお、上記の無音検出処理において、オーディオ信号の音量レベル判定や無音時間判定に用いられる判定レベルを任意に調整可能とすれば、上記課題をある程度緩和することができる（例えば、特許文献１を参照）。しかしながら、このような構成を採用したとしても、マスタとなるオーディオ信号（或いは録音済みのオーディオ信号）の全周波数成分が一律に無音検出対象とされている限り、上記課題を根本的に解決することはできなかった。
【００１１】
本発明は、上記の問題点に鑑み、オーディオ信号の背景に不必要な雑音成分が含まれていた場合であっても、正確に曲間情報（曲番）を自動付加することが可能なディジタル録音再生装置を提供することを目的とする。
【００１２】
【課題を解決するための手段】
上記の目的を達成するために、本発明に係るディジタル録音再生装置は、ディジタル記録媒体にオーディオ信号の読み書きを行うディジタル録音再生装置であって、前記オーディオ信号のレベル情報を周波数成分毎に抽出するレベル情報検出部と、該レベル情報検出部で周波数成分毎に分解されたレベル情報について指定された周波数帯域以外を抽出する帯域制御部と、該帯域制御部で得られたレベル情報と所定の判定レベルを比較して所定の判定条件に合致しているか否かを判定するレベル判定部と、該レベル判定部での条件合致時間を監視する時間判定部と、を有して成り、前記条件合致時間が所定時間を超えた時点における前記オーディオ信号のアドレス情報をその曲間情報として前記ディジタル記録媒体に記録する構成としている。
【００１３】
このような構成とすることにより、オーディオ信号の背景に不必要な雑音成分が含まれていた場合であっても、正確に曲間情報（曲番）を自動付加することが可能となる。なお、本構成は、雑音成分の周波数帯域が既知である場合や推測可能である場合に好適な構成であると言える。
【００１４】
また、本発明に係るディジタル録音再生装置は、ディジタル記録媒体にオーディオ信号の読み書きを行うディジタル録音再生装置であって、前記オーディオ信号のレベル情報を周波数成分毎に抽出するレベル情報検出部と、該レベル情報検出部で周波数成分毎に分解されたレベル情報について指定された周波数帯域のみを抽出する帯域制御部と、該帯域制御部で得られたレベル情報と所定の判定レベルを比較して所定の判定条件に合致しているか否かを判定するレベル判定部と、該レベル判定部での条件合致時間を監視する時間判定部と、を有して成り、前記条件合致時間が所定時間を超えた時点における前記オーディオ信号のアドレス情報をその曲間情報として前記ディジタル記録媒体に記録する構成としている。
【００１５】
このような構成とすることにより、オーディオ信号の背景に不必要な雑音成分が含まれていた場合であっても、正確に曲間情報を自動付加することが可能となる。なお、本構成は、レベル判定対象として意図する曲間情報基準信号の周波数帯域が既知である場合や推測可能である場合に好適な構成であると言える。
【００１６】
また、本発明に係るディジタル録音再生装置は、ディジタル記録媒体にオーディオ信号の読み書きを行うディジタル録音再生装置であって、前記オーディオ信号のレベル情報を周波数成分毎に抽出するレベル情報検出部と、該レベル情報検出部で周波数成分毎に分解されたレベル情報について周波数成分毎の重み付けを行う帯域制御部と、該帯域制御部で得られたレベル情報と所定の判定レベルを比較して所定の判定条件に合致しているか否かを判定するレベル判定部と、該レベル判定部での条件合致時間を監視する時間判定部と、を有して成り、前記条件合致時間が所定時間を超えた時点における前記オーディオ信号のアドレス情報をその曲間情報として前記ディジタル記録媒体に記録する構成としている。
【００１７】
このような構成とすることにより、オーディオ信号の背景に不必要な雑音成分が含まれていた場合であっても、正確に曲間情報（曲番）を自動付加することが可能となる。なお、本構成であれば、オーディオ信号の無音部検出（或いは基準信号検出）において、非常に制御性の高い調整を行うことが可能となるので、ユーザニーズに沿った曲間情報（曲番）の自動付加処理を実現することができる。
【００１８】
また、本発明に係るディジタル録音再生装置は、ディジタル記録媒体にオーディオ信号の読み書きを行うディジタル録音再生装置であって、前記オーディオ信号のレベル情報を周波数成分毎に抽出するレベル情報検出部と、周波数成分毎に重み付けられた判定レベルを生成する判定レベル調整部と、前記レベル情報検出部で周波数成分毎に分解されたレベル情報と前記判定レベル調整部で生成された判定レベルを比較して所定の判定条件に合致しているか否かを判定するレベル判定部と、該レベル判定部での条件合致時間を監視する時間判定部と、を有して成り、前記条件合致時間が所定時間を超えた時点におけるオーディオ信号のアドレス情報をその曲間情報としてディジタル記録媒体に記録する構成としている。
【００１９】
このような構成とすることにより、オーディオ信号の背景に不必要な雑音成分が含まれていた場合であっても、正確に曲間情報（曲番）を自動付加することが可能となる。なお、本構成であれば、オーディオ信号の無音部検出（或いは基準信号検出）において、非常に制御性の高い調整を行うことが可能となるので、ユーザニーズに沿った曲間情報（曲番）の自動付加処理を実現することができる。
【００２０】
【発明の実施の形態】
本発明に係るディジタル録音再生装置として、ここでは、ミニディスク録音再生装置を例に挙げて説明を行う。
【００２１】
まず、本発明に係るミニディスク録音再生装置の第１実施形態についての詳細な説明を行う。図１は本発明に係るミニディスク録音再生装置の第１実施形態を示すブロック図である。
【００２２】
本図に示すミニディスク録音再生装置１ａに設けられた入力端子２には、コンパクトディスク再生装置や衛星放送受信装置などのディジタル音声信号源から出力されたディジタル音声データが、例えば光信号としてシリアル入力される。入力端子２に入力された光信号は、光電素子３によって電気信号に変換された後、ディジタルＰＬＬ［Ｐｈａｓｅ−Ｌｏｃｋｅｄ−Ｌｏｏｐ］回路４に入力される。
【００２３】
ディジタルＰＬＬ回路４は、入力されたディジタル音声データからクロックの抽出を行うとともに、サンプリング周波数および量子化ビット数に対応したマルチビットデータを再現する。このマルチビットデータは信号源毎に異なるサンプリングレート（コンパクトディスク；４４．１［ｋＨｚ］、ディジタルオーディオテープレコーダ；４８［ｋＨｚ］、衛星放送（Ａモード）；３２［ｋＨｚ］など）で標本化されたディジタル信号である。そこで、ディジタルＰＬＬ回路４から出力されたマルチビットデータは、周波数変換回路５によってそのサンプリングレートをミニディスクの規格に対応した４４．１［ｋＨｚ］に変換される。
【００２４】
ＡＴＲＡＣ−ＤＳＰ［Ｄｉｇｉｔａｌ  Ｓｉｇｎａｌ  Ｐｒｏｃｅｓｓｏｒ］６の音声圧縮部６ａは、ＡＴＲＡＣ［Ａｄａｐｔｉｖｅ  ＴＲａｎｓｆｏｒｍ  Ａｃｏｕｓｔｉｃ  Ｃｏｄｉｎｇ］方式によって入力されたディジタル音声データの圧縮符号化を行い、符号化されたディジタル音声データをショックプルーフメモリコントローラ７を介して信号処理回路８に送出する。
【００２５】
ショックプルーフメモリコントローラ７で制御されるショックプルーフメモリ９は、音声圧縮部６ａから出力されるディジタル音声データの転送速度と、信号処理回路８に入力されるディジタル音声データの転送速度との差を吸収するとともに、再生時における振動等の外乱による再生信号の中断を補間し、ディジタル音声データを保護するためのものである。
【００２６】
信号処理回路８は、エンコーダおよびデコーダとしての機能を備えており、入力されたディジタル音声データをシリアルの磁界変調信号にエンコードしてヘッド駆動回路１０に与える。ヘッド駆動回路１０は、記録ヘッド１１をミニディスク１２上の所定記録位置に移動させるとともに、前記磁界変調信号に対応した磁界を発生させる。このとき、ミニディスク１２上の所定記録位置には、光ピックアップ１３からレーザ光が照射されており、これによって前記磁界に対応した磁化パターンがミニディスク１２上に形成される。
【００２７】
一方、光ピックアップ１３は、ミニディスク１２から前記磁化パターンに対応したシリアル信号を再生する。再生されたシリアル信号は高周波アンプ１４（以下、ＲＦアンプ１４と呼ぶ）で増幅された後、信号処理回路８によってディジタル音声データにデコードされる。デコードされたディジタル音声データは、ショックプルーフメモリコントローラ７及びショックプルーフメモリ９で外乱による影響を除去された後、ＡＴＲＡＣ−ＤＳＰ６の音声伸長部６ｂに送出される。
【００２８】
音声伸長部６ｂは、ＡＴＲＡＣ方式による圧縮符号化の逆変換処理を行い、フルビットのディジタル音声データを復調する。復調されたディジタル音声データは、ディジタル／アナログ変換回路１５（以下、Ｄ／Ａ変換回路１５と呼ぶ）によってアナログ音声データに変換され、出力端子１６から外部（図示しないスピカなど）へ出力される。
【００２９】
なお、ＲＦアンプ１４で増幅されたシリアル信号は、サーボ回路１７にも入力されている。サーボ回路１７は、再生されたシリアル信号に応じてドライバ回路１８に制御信号を送出し、該ドライバ回路１８を介してスピンドルモータ１９の回転速度をフィードバック制御する。このようなフィードバック制御により、ミニディスク１２を線速度一定で回転させることができる。
【００３０】
また、サーボ回路１７は、ドライバ回路１８を介して送りモータ２０の回転速度もフィードバック制御している。このようなフィードバック制御により、ミニディスク１２の半径方向に対する光ピックアップ１３の変移制御、すなわちトラッキング制御を行うことができる。さらに、サーボ回路１７は、ドライバ回路１８を介して光ピックアップ１３のフォーカシング制御も行っている。
【００３１】
上記した信号処理回路８、光ピックアップ１３、ＲＦアンプ１４、サーボ回路１７、及びドライバ回路１８等には、図示しない電源回路から電力供給が行われるが、このような電力供給動作や後述する信号処理動作は、全てシステムコントロールマイコン２１によって集中管理されている。なお、システムコントロールマイコン２１には、ミニディスク１２に関する各種操作（再生、記録、分割、合成、消去など）の他、曲名入力や選曲操作、或いは音質調整操作等を行うための入力装置２２が接続されている。
【００３２】
また、本実施形態のミニディスク録音再生装置１ａは、本発明に係る曲間情報（曲番）の自動付加機能（オートトラック機能やオートディバイド機能）を実現する手段として、上記各構成部２〜２２以外に、ＳＧデータ検出部２３と、帯域制御部２４と、レベル判定部２５と、時間判定部２６と、を有して成る。以下、各構成部２３〜２６による曲間情報（曲番）の自動付加処理について説明する。
【００３３】
ＳＧデータ検出部２３は、録音時に音声圧縮部６ａから出力されるディジタル音声データ、及び再生時にショックプルーフメモリ９から読み出されるディジタル音声データ（両データとも被圧縮状態であり、以下ではＳＧデータと呼ぶ）から、録音されているオーディオ信号のレベル情報を周波数成分毎に抽出して帯域制御部２４に送出する。なお、ディジタル記録媒体がミニディスク１２である場合、ＳＧデータは、ある微少時間１１．６［ｍｓ］の間における音声情報を５１２本の周波数成分に分割した形で保有している（図２を参照）。そのため、ＳＧデータ検出部２３は、ＳＧデータのフォーマットを読み取るだけで、録音されているオーディオ信号のレベル情報を周波数成分毎に抽出したことになる。また、被圧縮状態のＳＧデータを用いて曲間情報（曲番）の自動付加処理を行うことにより、該処理を高速に行うことが可能となる。
【００３４】
帯域制御部２４は、本実施形態の特徴部分であり、ＳＧデータ検出部２３で周波数成分毎に分解されたオーディオ信号のレベル情報Ａに対して、入力装置２２で設定された帯域制御情報Ｗに基づく帯域制御処理を行い、該処理後のレベル情報Ａ’を次段のレベル判定部２５に送出する。なお、上記した帯域制御処理については、後ほど詳細な説明を行う。
【００３５】
レベル判定部２５は、帯域制御部２４で得られたレベル情報Ａ’と、入力装置２２で設定された判定レベルＬとを比較し、その比較結果が判定条件Ｘに合致していれば、条件合致信号Ｂを次段の時間判定部２６に送出する。なお、判定条件Ｘは入力装置２２で任意に設定可能である。本実施形態では便宜上、判定条件Ｘについて、Ｘ＝０のときは｛Ａ’＜Ｌ｝で条件合致（無音部検出モード）とし、Ｘ＝１のときは｛Ａ’＞Ｌ｝で条件合致（基準音検出モード）としている。
【００３６】
時間判定部２６は、条件合致信号Ｂの出力継続時間ｔと、入力装置２２で設定された検出時間Ｔとを比較し、出力継続時間ｔが検出時間Ｔよりも長ければ、システムコントロールマイコン２１を介して、ショックプルーフメモリ９にその時のアドレス情報を曲間情報（曲番）として記憶させる。なお、前記アドレス情報は、ミニディスク１２の録音終了後、或いは再生終了後に、ミニディスク１２のＵＴＯＣ領域に書き込まれ、一連の曲番自動付加処理が完了される。
【００３７】
続いて、前述した帯域制御部２４による帯域制御処理について、図３〜図５に示す３通りのバリエーションを例示して詳細に説明する。
【００３８】
まず、図３を参照しながら、第１の帯域制御処理についての説明を行う。図３（ａ）は、判定レベルＬを上回る雑音成分を含むオーディオ信号のレベル情報Ａを示している。仮に、このようなレベル情報Ａをそのままレベル判定部２５（無音部検出モード；判定条件Ｘ＝０）に入力すると、他の周波数成分が判定レベルＬを下回っているにも拘わらず、｛Ａ＜Ｌ｝は満たされないので、無音曲間箇所が無音と判定されずに、曲間情報（曲番）の自動付加位置を誤る結果となる。
【００３９】
それに対して、本実施形態の帯域制御部２４は、図３（ｂ）に示すように、入力されたレベル情報Ａのうち、ユーザが予め指定した周波数帯域Ｗ１をマスキングし、該周波数帯域Ｗ１の周波数成分を除くレベル情報Ａ’を抽出してレベル判定部２５に送出する。このような構成とすることにより、周波数帯域Ｗ１に含まれる雑音成分はレベル判定部２５でのレベル判定対象から除外されるため、他の周波数成分が判定レベルＬを下回っていれば、｛Ａ’＜Ｌ｝は満たされることになる。従って、無音曲間箇所を正確に無音と判定することが可能となるので、曲間情報（曲番）の自動付加処理の精度向上を図ることができる。
【００４０】
なお、ここで説明した第１の帯域制御処理は、雑音成分の周波数帯域が既知である場合や推測可能である場合に好適な構成であると言える。
【００４１】
次に、図４を参照しながら、第２の帯域制御処理についての説明を行う。図４（ａ）は、図３（ａ）と同様に、判定レベルＬを上回る雑音成分を含むオーディオ信号のレベル情報Ａを示している。仮に、このようなレベル情報Ａをそのままレベル判定部２５（無音部検出モード；判定条件Ｘ＝０）に入力すると、判定対象として意図する曲間情報基準信号（例えば人間の肉声周波数成分）が判定レベルＬを下回っているにも拘わらず、｛Ａ＜Ｌ｝は満たされないので、無音曲間箇所が無音と判定されずに、曲間情報（曲番）の自動付加位置を誤る結果となる。
【００４２】
それに対して、本実施形態の帯域制御部２４は、図４（ｂ）に示すように、入力されたレベル情報Ａのうち、ユーザが予め指定した周波数帯域Ｗ２以外をマスキングし、該周波数帯域Ｗ２の周波数成分のみを抽出したレベル情報Ａ’をレベル判定部２５に送出する。このような構成とすることにより、周波数帯域Ｗ２に含まれる周波数成分（曲間情報基準信号の近傍周波数成分）のみがレベル判定部２５でのレベル判定対象とされるため、他の周波数帯域に判定レベルＬを上回る雑音成分が含まれていても、｛Ａ’＜Ｌ｝は満たされることになる。従って、無音曲間箇所を正確に無音と判定することが可能となるので、曲間情報（曲番）の自動付加処理の精度向上を図ることができる。
【００４３】
なお、ここで説明した第２の帯域制御処理は、レベル判定対象として意図する曲間情報基準信号の周波数帯域が既知である場合や推測可能である場合に好適な構成であると言える。また、第２の帯域制御処理は、レベル判定部２５を基準信号検出モード（判定条件Ｘ＝１）とした場合にも有効である。該基準信号検出モードは、ユーザが録音中に入れた所定の曲間情報基準信号（例えば可聴帯域外の正弦波信号）を検出し、その検出箇所に曲間情報（曲番）を自動付加するモードである。従って、上記の曲間情報基準信号を含む狭小な周波数帯域Ｗ２を設定すれば、他の周波数成分の影響を受けにくい高精度な基準信号検出を行うことが可能となり、曲間情報（曲番）の自動付加処理の精度向上を図ることができる。
【００４４】
次に、図５を参照しながら、第３の帯域制御処理についての説明を行う。図５（ａ）はＳＧデータ検出部２３から出力されるオーディオ信号のレベル情報Ａを示しており、図５（ｂ）は入力装置２２で設定された帯域制御情報Ｗを示している。帯域制御情報Ｗは、第１、第２の帯域制御処理における周波数帯域Ｗ１、Ｗ２と異なり、指定帯域の通過／非通過を制御するだけの情報ではなく、周波数成分毎の重み付けが可能な情報とされている。
【００４５】
帯域制御部２４は、図５（ｃ）に示すように、上記したオーディオ信号のレベル情報Ａと帯域制御情報Ｗとの論理積を演算することで、周波数成分毎の重み付けを行い、該処理後のレベル情報Ａ’をレベル判定部２５に送出する。このような構成とすることにより、オーディオ信号の無音部検出（或いは基準信号検出）において、非常に制御性の高い調整を行うことが可能となるので、ユーザニーズに沿った曲間情報（曲番）の自動付加処理を実現することができる。
【００４６】
なお、上記の実施形態では、帯域制御部２４とレベル判定部２５との組合わせについて様々なバリエーションが可能であり、それに伴う効果もそれぞれ異なって現れる。
【００４７】
続いて、本発明に係るミニディスク録音再生装置の第２実施形態についての詳細な説明を行う。図６は本発明に係るミニディスク録音再生装置の第２実施形態を示すブロック図である。本図からも分かるように、本実施形態のミニディスク録音再生装置１ｂは、前出の第１実施形態とほぼ同様の構成から成る。そこで、第１実施形態と同様の部分については、図１と同一符号を付すことで説明を省略し、以下では本実施形態の特徴部分（曲間情報の自動付加機能を実現する手段）について重点を置いた説明を行うことにする。
【００４８】
本実施形態のミニディスク録音再生装置１ｂは、曲間情報（曲番）の自動付加機能を実現する手段に関し、第１実施形態の特徴部分であった帯域制御部２４に代えて、判定レベル調整部２７を有して成る。以下、各構成部２３、２５〜２７による曲間情報（曲番）の自動付加処理について説明する。
【００４９】
ＳＧデータ検出部２３は、周波数成分毎に分解されたオーディオ信号のレベル情報Ａを抽出し、該レベル情報Ａをレベル判定部２５に送出する。レベル判定部２５は、入力されたレベル情報Ａと、後述する判定レベル調整部２７で得られた判定レベルＬ’とを比較し、その比較結果が判定条件Ｘに合致していれば、条件合致信号Ｂを次段の時間判定部２６に送出する。なお、判定条件Ｘは入力装置２２で任意に設定可能である。本実施形態では便宜上、判定条件Ｘについて、Ｘ＝０のときは｛Ａ＜Ｌ’｝で条件合致（無音部検出モード）とし、Ｘ＝１のときは｛Ａ＞Ｌ’｝で条件合致（基準音検出モード）としている。時間判定部２６は、第１実施形態と同様、条件合致信号Ｂの出力継続時間ｔと検出時間Ｔとの比較結果に基づいて、システムコントロールマイコン２１に曲番自動付加を要求する。
【００５０】
判定レベル調整部２７は、本実施形態の特徴部分であり、入力装置２２で設定された指示信号Ｆに基づいて、周波数帯域毎に制御された判定レベルＬ’を生成する。図７（ａ）はＳＧデータ検出部２３から出力されるオーディオ信号のレベル情報Ａを示しており、図７（ｂ）は判定レベル調整部２７で得られた判定レベルＬ’を示している。本図から分かるように、判定レベル調整部２７で得られた判定レベルＬ’は、第１実施形態の一律な判定レベルＬと異なり、周波数成分毎に重み付けされた値とされている。
【００５１】
このような構成とすることにより、レベル判定部２５では、図７（ｃ）に示すように、オーディオ信号のレベル情報Ａと判定レベルＬ’とが周波数帯域毎に重み付けて比較される。従って、オーディオ信号の無音部検出（或いは基準信号検出）において、非常に制御性の高い調整を行うことが可能となるので、ユーザニーズに沿った曲間情報（曲番）の自動付加処理を実現することができる。
【００５２】
なお、上記の実施形態では、判定レベル調整部２７とレベル判定部２５との組合わせについて様々なバリエーションが可能であり、それに伴う効果もそれぞれ異なって現れる。
【００５３】
また、上記の第１、第２実施形態では、本発明をミニディスク録音再生装置に適用した場合を例に挙げて説明を行ったが、本発明の適用対象はこれに限定されるものではなく、他のディジタル記録媒体にオーディオ信号の読み書きを行うディジタル録音再生装置全般に広く適用が可能である。
【００５４】
【発明の効果】
上記したように、本発明に係るディジタル録音再生装置であれば、オーディオ信号の背景に不必要な雑音成分が含まれていた場合であっても、正確に曲間情報（曲番）を自動付加することが可能となる。
【図面の簡単な説明】
【図１】本発明に係るミニディスク録音再生装置の第１実施形態を示すブロック図である。
【図２】ＳＧデータの検出について説明するための模式図である。
【図３】第１の帯域制御処理について説明するための模式図である。
【図４】第２の帯域制御処理について説明するための模式図である。
【図５】第３の帯域制御処理について説明するための模式図である。
【図６】本発明に係るミニディスク録音再生装置の第２実施形態を示すブロック図である。
【図７】本実施形態のレベル判定処理について説明するための模式図である。
【符号の説明】
１ａ、１ｂ    ミニディスク録音再生装置
２    入力端子
３    光電素子
４    ディジタルＰＬＬ回路
５    周波数変換回路
６    ＡＴＲＡＣ−ＤＳＰ
６ａ    音声圧縮部
６ｂ    音声伸長部
７    ショックプルーフメモリコントローラ
８    信号処理回路
９    ショックプルーフメモリ
１０    記録ヘッド駆動回路
１１    記録ヘッド
１２    ミニディスク
１３    光ピックアップ
１４    高周波アンプ（ＲＦアンプ）
１５    ディジタル／アナログ変換回路（Ｄ／Ａ変換回路）
１６    出力端子
１７    サーボ回路
１８    ドライバ回路
１９    スピンドルモータ
２０    送りモータ
２１    システムコントロールマイコン
２２    入力装置
２３    ＳＧデータ検出部
２４    帯域制御部
２５    レベル判定部
２６    時間判定部
２７    判定レベル調整部
【図１】
2004342214.tif 000003
【図２】
2004342214.tif 000004
【図３】
2004342214.tif 000005
【図４】
2004342214.tif 000006
【図５】
2004342214.tif 000007
【図６】
2004342214.tif 000008
【図７】
2004342214.tif 000009